(57)【特許請求の範囲】
【請求項１】
ＰＤＰ（プラズマディスプレイパネル）やＬＣＤ（液晶ディスプレイ）等の平面ディスプレイユニット（１０）の側面に固着した平面ディスプレイユニットの後方に延びる懸架部（１１）と、前記側面の懸架部の下部に回動自在に軸支した懸架部を下から抑える挟持部（１２）とを備えて、平面ディスプレイユニットを取り付ける壁面（２０）の開口部等に設けた横棒（２１）の上面から前記懸架部を載置し、横棒の下面から前記挟持部で挟持するとともに前記挟持部の先端に設けた突起（１２ａ）により前記横棒を握持することにより平面ディスプレイユニットを壁面等に取り付けるようにした平面ディスプレイ取付構造。
【請求項２】
前記挟持部は、バネ（１３）により付勢して前記横棒を挟持するようにしたことを特徴とする請求項１記載の平面ディスプレイ取付構造。
【請求項３】
前記挟持部の先端（１２ｂ）は、後方に向けて槍型とすることを特徴とした請求項１記載の平面ディスプレイ取付構造。
【請求項４】
前記挟持部の前部（１２ｃ）は、前記平面ディスプレイユニットの前面パネル（１６）の略前面まで延ばし、同前面パネルの対応部に開口した穴（１６ａ）から指等により上下に回動させることができるようにしたことを特徴とする請求項１記載の平面ディスプレイ取付構造。
【請求項５】
前記前面パネルに開口した穴には、同前面パネルに係止するフック機構を有する蓋を設けることを特徴とした請求項４記載の平面ディスプレイ取付構造。
【請求項６】
前記壁の開口部等に設ける横棒の長さは、前記平面ディスプレイユニットの横幅の略整数倍とし、同横棒を複数本縦に並べて複数の前記平面ディスプレイユニットを縦横に並べて取り付けて多画面からなる平面ディスプレイを構成できるようにしたことを特徴とする平面ディスプレイ取付構造。
【請求項７】
前記壁面の開口部等としては、多画面からなる平面ディスプレイを構成する架の平面ディスプレイユニットを取り付ける開口部とし、同開口部の両側に取り付けた横棒に前記平面ディスプレイユニットを縦横に複数取り付けて多画面からなる平面ディスプレイを構成するようにしたことを特徴とする請求項６記載の平面ディスプレイ取付構造。
【請求項８】
前記横棒の前記懸架部及び挟持部で挟持する横に固定用リング（３２）を設け、前記平面ディスプレイユニットの横方向の位置決めを行うようにしたことを特徴とする請求項６記載の平面ディスプレイ取付構造。
【請求項９】
前記横棒の前記懸架部及び挟持部で挟持する部分に凹部（３１ａ）を設け、同凹部に懸架部及び挟持部を挿入して挟持することにより前記平面ディスプレイユニットの横方向の位置決めを行うようにしたことを特徴とする請求項６記載の平面ディスプレイ取付構造。
【請求項１０】
前記懸架部及び挟持部は、前記壁の開口部等の両側に設け、前記横棒を前記平面ディスプレイユニットの背面に設けることを特徴とする請求項１記載の平面ディスプレイ取付構造。
【発明の詳細な説明】
【０００１】
【発明の属する技術分野】
本発明は、ＰＤＰ（プラズマディスプレイパネル）やＬＣＤ（液晶ディスプレイ）等のテレビ映像等を表示する平面ディスプレイの、平面ディスプレイユニットの脱着の容易な平面ディスプレイ取付構造に関する。
【０００２】
【従来の技術】
従来の平面ディスプレイ取付構造では、平面ディスプレイユニットを先ず取付金具にネジ止めし、その取付金具を架等に直接ネジ止めして１つの平面ディスプレイを構成していた。しかし、このような平面ディスプレイ取付構造では、取付金具を直接ネジ止めしているため、平面ディスプレイユニットの脱着には取付金具を架等に取り付けたネジを取り外す必要があり、脱着に手間と時間を要するという問題があった。
【０００３】
【発明が解決しようとする課題】
本発明は上記問題点に鑑みなされたもので、ネジ等を取り外すことなく容易に平面ディスプレイを脱着することができる平面ディスプレイの取付構造を提供することを目的とする。
【０００４】
【課題を解決するための手段】
平面ディスプレイユニットの側面に固着した同ユニットの後方に延びる懸架部と、同側面の懸架部の下部に回動自在に軸止した懸架部を下から抑える挟持部とを備えて、平面ディスプレイユニットを取り付ける壁面の開口部等に設けた横棒の上面から前記懸架部を載置し、横棒の下面から挟持部で挟持するとともに前記挟持部の先端に設けた突起により前記横棒を握持することにより平面ディスプレイユニットを壁面等に取り付けるようにして、ネジを取り付けたり外したりせずに平面ディスプレイユニットを脱着できるようにする。
【０００５】
【発明の実施の形態】
ＰＤＰやＬＣＤ等の平面ディスプレイユニットの側面に固着した平面ディスプレイユニットの後方に延びる懸架部と、前記側面の懸架部の下部に回動自在に軸支した懸架部を下から抑える挟持部とを備えて、平面ディスプレイユニットを取り付ける壁面の開口部等に設けた横棒の上から前記懸架部を載置し、横棒の下から前記挟持部で挟持するとともに前記挟持部の先端に設けた突起により前記横棒を握持することにより平面ディスプレイユニットを壁面等に取り付ける。
【０００６】
前記挟持部は、バネにより付勢して前記横棒を挟持する。
【０００７】
前記挟持部の先端は、後方に向けて槍型とする。
【０００８】
前記挟持部の前部は、前記平面ディスプレイユニットの前面パネルの略前面まで延ばし、同前面パネルの対応部に開口した穴から指等により上下に回動させることができるようにする。
【０００９】
前記前面パネルに開口した穴には、同前面パネルに係止するフック機構を有する蓋を設ける。
【００１０】
前記壁の開口部等に設ける横棒の長さは、前記平面ディスプレイユニットの横幅の略整数倍とし、同横棒を複数本縦に並べて複数の前記平面ディスプレイユニットを縦横に並べて取り付けて多画面からなる平面ディスプレイを構成する。
【００１１】
前記壁面の開口部等としては、多画面からなる平面ディスプレイを構成する架の平面ディスプレイユニットを取り付ける開口部とし、同開口部の両側に取り付けた横棒に前記平面ディスプレイユニットを縦横に複数取り付けて多画面からなる平面ディスプレイを構成する。
【００１２】
前記横棒の前記懸架部及び挟持部で挟持する横に固定用リングを設け、前記平面ディスプレイユニットの横方向の位置決めを行う。
【００１３】
前記横棒の前記懸架部及び挟持部で挟持する部分に凹部を設け、同凹部に懸架部及び挟持部を挿入して挟持することにより前記平面ディスプレイユニットの横方向の位置決めを行う。
【００１４】
前記懸架部及び挟持部は、前記壁の開口部等の両側に設け、前記横棒を前記平面ディスプレイユニットの背面に設ける。
【００１５】
【実施例】
図１は、本発明による平面ディスプレイ取付構造の１実施例を示す（Ａ）斜視図、（Ｂ）平面ディスプレイユニット取付前の側面図（一部断面）、（Ｃ）平面ディスプレイユニット取付後の側面図（一部断面）である。ＰＤＰやＬＣＤ等の平面ディスプレイユニット１０の側面１０ａに、後方に延びる懸架部１１をネジ１４等で固着する。平面ディスプレイユニット１０の側面に固着した懸架部１１の下部には、さらに、懸架部１１を下から抑える挟持部１２を支軸１５により回動自在に軸支する。このような平面ディスプレイユニット１０を壁面２０の開口部２０ａ等に取り付けて壁掛けテレビ等とする。平面ディスプレイユニット１０を取り付ける壁面２０の開口部２０ａには例えば二本の横棒２１、２１を設ける。平面ディスプレイユニット１０を壁面２０に取り付けるときは、横棒２１の上から懸架部１１を載置し、横棒２１の下から挟持部１２で挟持するとともに挟持部１２の先端に設けた突起１２ａにより横棒２１を握持する。
【００１６】
挟持部１２の支軸１５には、バネ１３を取り付けて、挟持部１２を懸架部１１側に付勢して、平面ディスプレイユニット１０を壁面２０に取り付けたときに、横棒２１を挟持するようにする。挟持部１２の先端１２ｂは、後方に向けて槍型の形状として、平面ディスプレイユニット１０を壁面２０に取り付けるとき、挟持部１２が横棒２１を容易に挟持できるようにする。
【００１７】
挟持部１２の前部１２ｃは、平面ディスプレイユニット１０の前面パネル１６の略前面まで延ばしておく。前面パネル１６の対応部には、穴１６ａを開口する。このようにして、穴１６ａから指等を挿入して、挟持部１２の前部１２ｃを上下に回動させることができるようにする。平面ディスプレイユニット１０を壁２０から外すときは、前部１２ｃを上に回動させて、挟持部１２の突起１２ａを横棒２１から外す。前面パネル１６に開口した穴１６ａには、前面パネル１６に係止するフック機構となる突起１７ａを有する蓋１７を設けて、平面ディスプレイユニット１０を壁２０に装着した後は、前面パネル１６の穴１６ａに装着する。なお、懸架部及び挟持部と横棒を取り付ける対象を上記と逆にして、壁２０の開口部等の両側に懸架部１１及び挟持部１２を設け、平面ディスプレイユニット１０の背面に横棒２１を設けても同様の作用効果を得ることができる。
【００１８】
図２は、本発明による平面ディスプレイ取付構造の他の実施例を示す（Ａ）斜視図、（Ｂ）同図Ａ部の拡大正面図、（Ｃ）別の実施例の同図Ａ部の拡大正面図である。壁３０の開口部３０ａ等に、平面ディスプレイユニット１０の横幅の略整数倍の長さの横棒３１を縦方向に複数本並べて設ける。横棒３１、３１、・・に複数の平面ディスプレイユニット１０、１０、・・を縦横に並べて取り付けて多画面からなる平面ディスプレイを構成する。横棒３１に平面ディスプレイ１０を取り付けたときに、懸架部１１及び挟持部１２で横棒３１を挟持する横に固定用リング３２を設け、ネジ３２ａ等で固定する。２つの固定用リング３２、３２の間に平面ディスプレイユニット１０を取り付けることで、平面ディスプレイユニット１０の横方向の位置決めを行うことができる。あるいは、横棒３１の懸架部１１及び挟持部１２で挟持する部分に凹部３１ａを設けて、凹部３１ａに懸架部１１及び挟持部１２を挿入して挟持するようにしても同様に平面ディスプレイユニット１０の横方向の位置決めを行うことができる。
【００１９】
壁面３０を多画面からなる平面ディスプレイを構成する架に代えることもできる。この場合には壁面３０を架に置き換えて、その開口部に横棒３１を設けた構造とする。架の開口部に取り付けた横棒３１に、上記と同様に平面ディスプレイユニットを縦横に複数取り付けて、多画面からなる平面ディスプレイとすることができる。
【００２０】
【発明の効果】
本発明は、以上説明したような形態で実施され、以下に記載するような効果を奏する。
【００２１】
平面ディスプレイユニットの側面に固着した同ユニットの後方に延びる懸架部と、同側面の懸架部の下部に回動自在に軸止した懸架部を下から抑える挟持部とを備えて、平面ディスプレイユニットを取り付ける壁面の開口部等に設けた横棒の上から前記懸架部を載置し、横棒の下から挟持部で挟持するとともに前記挟持部の先端に設けた突起により前記横棒を握持することにより平面ディスプレイユニットを壁面等に取り付けるようにすることで、ネジを取り付けたり外したりせずに平面ディスプレイユニットを脱着できるようにできるため、平面ディスプレイの組立・保守が容易となる。また、壁掛けテレビや、多画面ディスプレイが簡単な工事で構成できるようになる。
【００２２】
前記挟持部は、バネにより付勢して前記横棒を挟持することで、平面ディスプレイの脱着がワンタッチでできるようになる。
【００２３】
前記挟持部の先端は、後方に向けて槍型とすることで、平面ディスプレイを横棒に取り付けるとき、奧に押し込む作業だけですむようになる。
【００２４】
前記挟持部の前部は、前記平面ディスプレイユニットの前面パネルの略前面まで延ばし、同前面パネルの対応部に開口した穴から指等により上下に回動させることができるようにすることで、平面ディスプレイの脱着をディスプレイの前面からの操作のみでできるようになる。
【００２５】
前記前面パネルに開口した穴には、同前面パネルに係止するフック機構を有する蓋を設けることで、容易に前面パネルの見栄えを良くすることができる。
【００２６】
前記壁の開口部等に設ける横棒の長さは、前記平面ディスプレイユニットの横幅の略整数倍とし、同横棒を複数本縦に並べて複数の前記平面ディスプレイユニットを縦横に並べて取り付けて多画面からなる平面ディスプレイを構成することで、簡単な構成で、壁掛け型の大画面ディスプレイが得られる。
【００２７】
前記壁面の開口部等としては、多画面からなる平面ディスプレイを構成する架の平面ディスプレイユニットを取り付ける開口部とし、同開口部の両側に取り付けた横棒に前記平面ディスプレイユニットを縦横に複数取り付けて多画面からなる平面ディスプレイを構成することで、独立型の大画面ディスプレイが得られる。
【００２８】
前記横棒の前記懸架部及び挟持部で挟持する横に固定用リングを設け、前記平面ディスプレイユニットの横方向の位置決めを行うことで、簡単に平面ディスプレイユニットが配置できるようになる。
【００２９】
前記横棒の前記懸架部及び挟持部で挟持する部分に凹部を設け、同凹部に懸架部及び挟持部を挿入して挟持することにより前記平面ディスプレイユニットの横方向の位置決めを行うことでも、簡単に平面ディスプレイユニットが配置できるようになる。
【００３０】
前記懸架部及び挟持部は、前記壁の開口部等の両側に設け、前記横棒を前記平面ディスプレイユニットの背面に設けることでも、上記と同様の効果が得られる。
【図面の簡単な説明】
【図１】本発明による平面ディスプレイ取付構造の１実施例を示す（Ａ）斜視図、（Ｂ）平面ディスプレイユニット取付前の側面図（一部断面）、（Ｃ）平面ディスプレイユニット取付後の側面図（一部断面）である。
【図２】本発明による平面ディスプレイ取付構造の他の実施例を示す（Ａ）斜視図、（Ｂ）同図Ａ部の拡大正面図、（Ｃ）別の実施例の同図Ａ部の拡大正面図である。
【符号の説明】
１０  平面ディスプレイユニット
１１  懸架部
１２  挟持部
１３  バネ
１４  ネジ
１５  支軸
１６  前面パネル
１７  蓋
２０  壁
２１  横棒
３０  壁
３１  横棒
３２  固定用リング
【図１】
0003687245.tif 000002
【図２】
0003687245.tif 000003